(57)【特許請求の範囲】
【請求項１】
天井に配置される室内設備ラインを吊り下げ可能としたメッシュ状の天井部材を有する室内に配置される室内構成ユニットであって、
前記室内の床上に立設され、前記天井部材に取り付けられる複数の取付部材を上端部から突出して設けた中空のカラムと、
前記カラムの側面に接続される作業設備とを備え、
前記カラムは、前記室内設備ラインに接続されるラインが配置される中空部を有し、
前記取付部材同士は、前記天井部材の格子の大きさに対応する幅で形成されていることを特徴とする室内構造ユニット。
【請求項２】
請求項１に記載の室内構造ユニットにおいて、
前記室内設備ラインには、排気管が含まれ、
前記カラムの中空部に配置されたラインには、排気管が含まれ、
前記作業設備には、局部排気装置の排気管が内蔵されており、
前記局部排気装置の排気管は、前記カラムの中空部に配置された排気管に接続されていることを特徴とする室内構造ユニット。
【請求項３】
請求項１又は２に記載の室内構造ユニットにおいて、
前記カラムの側面には、前記カラムの中空部に連通する吸気口が設けられていることを特徴とする室内構造ユニット。
【請求項４】
請求項１〜３の何れか１項に記載の室内構造ユニットを用いた室内構造において、
前記天井部材は、天井下地に固定された既存のインサートに胴縁を介して吊り下げられていることを特徴とする室内構造。
【請求項５】
請求項４に記載の室内構造において、
前記天井部材には、照明器具が吊り下げられており、
前記天井部材に吊り下げられた室内設備ラインの中で、高さが最大長の室内設備ラインの下底位置に仮想天井高さを設定し、
前記照明器具が、前記仮想天井高さになるように、前記照明器具の吊り下げ具の長さを調節することを特徴とする室内構造。
【請求項６】
請求項４又は５に記載の室内構造において、
前記天井部材には、空間仕切り部材が吊り下げられており、
前記空間仕切り部材は、前記天井部材に係止させる支持部を有した複数の支持棒と、これら支持棒間に架け渡した布材とを有していることを特徴とする室内構造。
【請求項７】
請求項４〜６の何れか１項に記載の室内構造において、
前記天井部材には、ボード部材が吊り下げられており、
前記ボード部材は、前記天井部材に係止させる支持部を有した伸縮可能な複数の取付部と、これら取付部間に設けられた板部材とを有していることを特徴とする室内構造。
【発明の詳細な説明】
【技術分野】
【０００１】
本発明は、実験室や研究室等の室内において、各種ユーティリティを利用するための室内構造ユニット及びこれを用いた室内構造に関する。
【背景技術】
【０００２】
実験室や研究室において、設備のフレキシビリティを確保するために、天井の仕上材の代わりに、格子状の鉄線（メッシュ天井）を配置した構造が検討されている（例えば、非特許文献１参照）。この文献においては、給排水や特殊ガス等を供給する配管や、電力を供給する電気配線が、メッシュ天井に吊金具を用いて取り付けられている。更に、これら配管や電気配線を集積した集積箇所（ユーティリティカラム）が、実験台に併設されている。
【０００３】
また、給水管及び配水管を集積した集積箇所（ユーティリティカラム）を流し台に併設することも検討されている（例えば、非特許文献２参照）。この文献には、流し台の下に配置した排水ユニットを設けている。そして、この排気ユニットのポンプによって排水を天井に圧送し、天井を経由して排水を行なっている。
【先行技術文献】
【非特許文献】
【０００４】
【非特許文献１】鶴見進一、「（株）大林組技術研究所旧本館（材料化学実験棟）コンバージョン」、環境工学研究  ＮＯ．２９５、環境工学研究会、公益社団法人  空気調和・衛生工学会近畿支部、２０１２年６月１５日、ｐ．７−１４
【非特許文献２】石榑宣之、「大林組技術研究所材料化学実験棟（旧本館コンバージョン工事）  ―オフィスビルから環境にやさしいラボへのコンバージョンを通して―」、ＢＥＬＣＡ  ＮＥＷＳ  １３９号、公益社団法人  ロングライフビル推進協会、２０１２年７月、ｐ．３０−３５
【発明の概要】
【発明が解決しようとする課題】
【０００５】
ユーティリティカラムは、天井に設けられたユーティリティ配管に接続するため、床から天井近くまでの高さを有することになる。この場合、固定が緩いとユーティリティカラムの安定性を確保することができないという課題がある。この安定性を確保するため、強固な床固定を行なった場合には、レイアウトの変更時にフレキシビリティを損なうことになる。
【０００６】
本発明は、上記課題に鑑みてなされ、その目的は、カラムを安定して設置するとともに、容易に移動可能にするための室内構造ユニット及びこれを用いた室内構造を提供することにある。
【課題を解決するための手段】
【０００７】
上記課題を解決する室内構造ユニットは、天井に配置される室内設備ラインを吊り下げ可能としたメッシュ状の天井部材を有する室内に配置される室内構成ユニットであって、前記室内の床上に立設され、前記天井部材との係合部を有する中空のカラムと、前記カラムの側面に接続される作業設備とを備え、前記カラムは、前記室内設備ラインに接続されるラインが配置される中空部を有する。ここで、室内設備ラインとは、室内に配置されて作業に提供されるサービス（ガス、給水、電気等の提供や、排気や排水）に用いられるライン（配管や電線等）を意味する。これにより、カラムは、床上に立設されているとともに、天井部材に係合しているので、カラムを安定して設置することができる。また、カラムと天井部材との係合を取り外すことにより、容易にカラムを移動させることができ、室内の配置レイアウトの変更時にフレキシビリティを高めることができる。
【０００８】
上記室内構造ユニットにおいて、前記室内設備ラインには、排気管が含まれ、前記カラムの中空部に配置されたラインには、排気管が含まれ、前記作業設備には、局部排気装置の排気管が内蔵されており、前記局部排気装置の排気管は、前記カラムの中空部に配置された排気管に接続されていることが好ましい。これにより、作業設備において局部排気を行なう場合であっても、局部排気装置の排気管が内蔵されているため、見栄えをよくすることができる。
【０００９】
上記室内構造ユニットにおいて、前記カラムの側面には、前記カラムの中空部に連通する吸気口が設けられていることが好ましい。これにより、カラム内の空間を、排気管として用いることもできる。
【００１０】
上記課題を解決する室内構造は、上記室内構造ユニットを用いた室内構造であって、前記天井部材は、天井下地に固定された既存のインサートに胴縁を介して吊り下げられていることが好ましい。これにより、床スラブに新たな取付部材を設けることなく、天井部材を取り付けることができる。
【００１１】
上記室内構造において、前記天井部材には、照明器具が吊り下げられており、前記天井部材に吊り下げられた室内設備ラインの中で、高さが最大長の室内設備ラインの下底位置に仮想天井を設定し、前記照明器具が、前記仮想天井高さになるように、前記照明器具の吊り下げ具の長さを調節することが好ましい。これにより、仮想天井高さよりも上方に各種配管を設置し、仮想天井高さよりも下方に照明器具を配置することができる。従って、各種配管が照明の妨げにならないようにすることができる。
【００１２】
上記室内構造において、前記天井部材には、空間仕切り部材が吊り下げられており、前記空間仕切り部材は、前記天井部材に係止させる支持部を有した複数の支持棒と、これら支持棒間に架け渡した布材とを有していることが好ましい。これにより、天井部材における任意の箇所に、空間仕切り材の支持部を吊り下げることにより、室内を任意の位置及び大きさに、容易に仕切ることができる。
【００１３】
上記室内構造において、前記天井部材には、ボード部材が吊り下げられており、前記ボード部材は、前記天井部材に係止させる支持部を有した伸縮可能な複数の取付部と、これら取付部間に設けられた板部材とを有していることが好ましい。これにより、天井部材において支持部を吊り下げることにより、室内に、着脱可能にボード部材を取り付けることができる。
【発明の効果】
【００１４】
本発明によれば、カラムを安定して設置するとともに、容易に移動可能にすることができる。
【図面の簡単な説明】
【００１５】
【図１】実施形態における設備ユニットと、天井との関係を示す斜視図。
【図２】実施形態における設備ユニットの外観斜視図。
【図３】実施形態において、天井に取り付けられた配管や照明器具等との高さ関係を説明する説明図。
【図４】天井の端部を説明する説明図。
【図５】実施形態における設備ユニットのユーティリティカラム内の配管と、天井に配置された配管との関係とを説明する説明図。
【図６】実施形態における設備ユニットのユーティリティカラムの筐体と、排気ダクトとの関係とを説明する説明図。
【図７】変更例における天井に取り付けられる仕切り部材の構造を説明する説明図。
【図８】変更例における天井に取り付けられるボード部材の構造を説明する説明図であって、（ａ）は伸長する前の状態、（ｂ）は伸長した後の状態を示す。
【発明を実施するための形態】
【００１６】
以下、図１〜図６を用いて、室内構造ユニット及びこれを用いた室内構造を具体化した一実施形態を説明する。本実施形態では、室内構造ユニットとしての設備ユニット１０を用いる。
【００１７】
図１に示すように、設備ユニット１０は、格子状の鉄線で構成されている天井部材５５を有する実験室内に設置されている。この天井部材５５には、吊金具を介して、各種配管等が固定される。
【００１８】
設備ユニット１０は、作業台１１、流し台１５及びユーティリティカラム２０を備えている。作業台１１、ユーティリティカラム２０及び流し台１５は、この順番で、設置順方向（ｘ方向）に並んで配置されている。本実施形態では、作業台１１と流し台１５とが作業設備として機能する。
【００１９】
ユーティリティカラム２０は、作業台１１と流し台１５との間に配置される。ユーティリティカラム２０は、床に載置され、天井部材５５の位置に応じた高さを有する。このユーティリティカラム２０は、水平断面は四角形状であり、全体として直方体形状となっている。以下では、ユーティリティカラム２０の作業台１１側の側面を第１面、流し台１５側の側面を第２面、第１、２面に囲まれた側面を横側面と呼ぶ。
【００２０】
ユーティリティカラム２０は、中空柱形状の筐体２１を備えている。筐体２１は、床上から天井まで延在するように配置されている。筐体２１の上部は開口されており、開口周縁部には、複数の取付部材２１ａ（係合部）が形成されている。これら取付部材２１ａと天井部材５５とを係合させて、ユーティリティカラム２０を固定する。取付部材２１ａ同士の間隔は、天井部材５５の格子の大きさに対応する幅で形成されている。
【００２１】
筐体２１の横側面の下側には、吸気口として機能するガラリ２２が形成されている。筐体２１の内部から（これに連通する天井側から）吸引が行なわれているため、ガラリ２２に吸い込まれた気体は、筐体２１内を、上方に流れる。
【００２２】
筐体２１内には、排気管、ガス管、給水管、排水管が収納されている。これら筐体２１内の各配管は、後述するように、天井部材５５に吊り下げられた配管に接続される。
排気管は、作業台１１からの排気を行なうために、天井から作業台１１の高さまで延在されている。
【００２３】
ガス管は、作業台１１にガスを供給するために、天井から作業台１１の高さまで延在されている。
給水管は、流し台１５に給水するために、天井から流し台１５の高さまで延在されている。
排水管は、流し台１５からの排水を行なうために、天井から流し台１５の床近傍まで延在されている。
【００２４】
図１に示すように、作業台１１は、複数の脚部と、これら脚部の上に載置されて固定された天板とを有している。この作業台１１の天板は、設置順方向を長辺とする長方形状において、筐体２１に対応する部分を除いた形状となっている。作業台１１の天板上には、ユーティリティカラム２０の第２面に接続され、長辺方向に延在する収納棚１２が固定されている。収納棚１２には、ユーティリティカラム２０側において、中空ボックスが形成されている。この中空ボックスには、設置順方向に延在された試料排気管が内蔵されている。
【００２５】
収納棚１２には、局部排気装置１３が取り付けられている。局部排気装置１３は、屈曲配管１３ａと、フード１３ｂとを備えている。フード１３ｂは、屈曲配管１３ａの先端の排気口の周囲に取り付けられている。
【００２６】
屈曲配管１３ａは、自在継手を有する。そして、屈曲配管１３ａの先端の排気口を作業台１１上において、所定範囲内で移動可能になっている。屈曲配管１３ａは、中空ボックス内の試料排気管に接続されている。この試料配管は、ユーティリティカラム２０の筐体２１内の排気管に接続されている。
【００２７】
図２に示すように、流し台１５には、蛇口１６とシンク１７と排水ユニット１８とが設けられている。
蛇口１６に接続されている流し台１５の給水管は、ユーティリティカラム２０の筐体２１内の給水管に接続される。これら給水管は、例えばシールされたカップリングフランジ等の分離可能な接続部を備える。この接続部には、開閉弁が設けられている。
【００２８】
排水ユニット１８は、シンク１７の下方に配置されている。この排水ユニット１８は、タンクと排水ポンプとを備えている。タンクは、シンク１７に接続され、排水を一時的に貯留する。タンクは、排水ポンプ及び排水管を介して、ユーティリティカラム２０の筐体２１内の排水管に接続される。これら排水管は、例えばシールされたカップリングフランジ等によって、分離可能な接続部を備える。排水ユニット１８の排水ポンプは、タンクに貯留した排水を、ユーティリティカラム２０の筐体２１内の排水管に圧送する。
【００２９】
次に、図３及び図４を用いて、天井部材５５の構成を詳述する。
図３に示すように、天井部材５５は、吊り下げ具である吊金物５６を介して、各種配管等を含む各種室内設備ラインを吊り下げることができる。ここで、室内設備ラインは、室内に配置されて作業に提供されるサービス（ガス、給水、電気等の提供や、排気や排水）に用いられるライン（配管や電線等）である。この室内設備ラインとしては、各吸排管（６１，６２，６３，６４）、排気ダクト６６、蛍光灯６７（照明器具）、ケーブルラック６８等がある。この吊金物５６は、長さ調整可能である。本実施形態では、蛍光灯６７は、仮想天井高さＩｈとなる位置となるように吊金物５６の長さが調整されて、吊り下げられる。この仮想天井高さＩｈとは、天井に配置される配管のうち最大高さを有する配管（本実施形態では、排気ダクト６６）の下底位置である。
【００３０】
更に、蛍光灯６７、各吸排管（６１，６２，６３，６４）及び排気ダクト６６には、左右一対の揺れ止め具５７が、複数、取り付けられている。この揺れ止め具５７は、各室内設備ライン（蛍光灯６７、各吸排管（６１，６２，６３，６４）及び排気ダクト６６）に対して斜めに取り付けられている。
【００３１】
図４は、床スラブ５０の段差部の拡大図である。床スラブ５０には、その下面に、複数の天井インサート５１が固定される。この天井インサート５１は、既設のものや、新たに新設するものを用いることができる。複数の天井インサート５１は、床スラブ５０に離散して配置されている。本実施形態では、天井インサート５１は、約９００ｍｍの間隔で、離散して配置されている場合を想定する。各天井インサート５１の下端には、水平方向に延在させた胴縁５２が取り付けられている。
【００３２】
床スラブ５０の段差部には、垂直方向に延在させた胴縁５３が取り付けられる。この胴縁５３は、段差の上方、下方に配置された２つの胴縁５２に取り付けられている。更に、本実施形態では、胴縁５２が取り付けられた２つの胴縁５２には、胴縁５３ａが取り付けられている。
【００３３】
胴縁５２の下には、複数の天井下地バー５４が配置されている。天井下地バー５４は、水平方向に延在しており、複数の胴縁５２に取り付けられている。複数の天井下地バー５４の下端には、上述した格子状の天井部材５５が固定されている。この天井部材５５は、例えば１５０ｍｍ程度の格子状の鉄線から構成されている。
【００３４】
次に、図４及び図５を用いて、ユーティリティカラム２０の筐体２１内の配管と、天井に配置した各種配管との接続関係について説明する。
図５に示すように、ユーティリティカラム２０の筐体２１内の排気管、ガス管、給水管、排水管は、天井に吊り下げられた排気管６１、ガス管６２、給水管６３、排水管６４に、それぞれ接続されている。
【００３５】
筐体２１内の排気管、ガス管、給水管、排水管と、排気管６１、ガス管６２、給水管６３、排水管６４とのそれぞれの接続部は、公知の結合部材によって、分離可能に形成される。
更に、筐体２１内のガス管とガス管６２との接続部、筐体２１内の給水管と給水管６３との接続部には、開閉弁及びシール部材が設けられている。
【００３６】
また、図６に示すように、天井に配置された排気ダクト６６は、その開口部がユーティリティカラム２０上方の開口部に対応するように配置されている。この排気ダクト６６は、吊金物５６を用いて天井部材５５に吊り下げられている。排気ダクト６６は、ガラリ２２を介してユーティリティカラム２０の筐体２１内を通過した気体を排気する。
【００３７】
次に、実験室や研究室内の設備の配置換えのために、上述した設備ユニット１０を移動させる場合について説明する。
この場合、まず、ユーティリティカラム２０の筐体２１内に配置されたガス管及び給水管の開閉弁を閉じ、ガス管６２及び給水管６３の開閉弁を閉じる。次に、作業台１１の収納棚１２に内蔵された排気管を、ユーティリティカラム２０の排気管と分離する。そして、作業台１１から収納棚１２を取り外し、作業台１１をユーティリティカラム２０から分離する。
【００３８】
次に、ユーティリティカラム２０の給水管及び排水管を、流し台１５の給水管及び排水管とそれぞれ分離する。この場合、流し台１５の排水ユニット１８のタンクに排水が貯留されている場合には、この排水を捨てておく。そして、流し台１５をユーティリティカラム２０から分離する。
【００３９】
次に、ユーティリティカラム２０の各配管と、天井に配置された吸排管（６１，６２，６３，６４）とを分離する。そして、ユーティリティカラム２０内の各配管を取り外し、ユーティリティカラム２０を、天井部材５５から取り外す。
以上により、設備ユニット１０の取り外しが完了する。
【００４０】
その後、設備ユニット１０を他の場所に設置する場合には、新たに設置するユーティリティカラム２０の位置まで、吸排管（６１，６２，６３，６４）を延長する。更に、排気ダクト６６を延長する。この場合、排気ダクト６６の排気口が、ユーティリティカラム２０の上部開口に対応するように、排気ダクト６６を配置する。そして、上述した取り外しと逆の手順によって、ユーティリティカラム２０、流し台１５及び作業台１１を設置することにより、設備ユニット１０を設置する。
【００４１】
本実施形態によれば、以下のような効果を得ることができる。
（１）本実施形態では、設備ユニット１０は、作業台１１、流し台１５及びユーティリティカラム２０を備えている。ユーティリティカラム２０の中空部には、各種配管が設けられている。これにより、天井に設けられた各種配管を、ユーティリティカラム２０を介して、作業台１１や流し台１５に接続することができる。作業台１１、流し台１５に接続された各種配管をユーティリティカラム２０内において取りまとめることができるので、室内の見通しを確保し、安全性や美観を確保することができる。
【００４２】
（２）本実施形態では、床の上に載置されたユーティリティカラム２０の筐体２１の上部の取付部材２１ａは、天井部材５５に引掛けられている。これにより、ユーティリティカラム２０を安定して設置できる。また、ユーティリティカラム２０の引掛けを外すことにより、ユーティリティカラム２０を効率よく移動させることができる。
【００４３】
（３）本実施形態では、ユーティリティカラム２０には、作業台１１が接続されている。作業台１１の収納棚１２には、試料排気管が内蔵され、局部排気装置１３が取り付けられている。これにより、作業台１１において、効率的に局部排気を行なうことができる。
【００４４】
（４）本実施形態では、ユーティリティカラム２０の筐体２１内に連通するガラリ２２が形成されている。これにより、筐体２１自体を排気管として有効活用することができる。
【００４５】
（５）本実施形態では、天井部材５５は、床スラブ５０に固定された天井インサートに、胴縁５２を介して吊り下げられる。これにより、既設の取付部材を有効活用して、天井部材５５を取り付けることができる。
【００４６】
（６）本実施形態では、蛍光灯６７は、仮想天井高さＩｈとなる位置となるように吊金物５６の長さが調整されて、吊り下げられる。これにより、仮想天井高さよりも上方に各種配管を設置し、仮想天井高さよりも下方に蛍光灯６７を配置することができる。従って、各種配管が照明の妨げにならないようにすることができる。
【００４７】
また、上記実施形態は、以下のように変更してもよい。
・上記実施形態においては、天井部材５５にユーティリティカラム２０を引掛ける。これに加えて、図７に示す空間仕切り部材７０や図８に示すボード部材８０を引掛けるようにしてもよい。
【００４８】
図７に示すように、空間仕切り部材７０は、室内の空間を仕切るために用いられる。この空間仕切り部材７０は、２つの支持棒７１を有している。各支持棒７１の上部には、天井部材５５に引掛け可能な支持部７１ａが形成されている。各支持棒７１は、支持部７１ａを天井部材５５に引掛けた場合に、下端部が床上まで至る長さを有している。各支持棒７１には、これら支持棒７１間に架け渡された布材７２の端辺が固定されている。この布材７２は、支持棒７１に、横の長さ調整できるように巻き取られて配置されている。布材７２は、例えば、カーテン等の厚手の生地であってもよいし、暗幕等を用いることができる。この空間仕切り部材７０を用いる場合には、布材７２の横の長さを調整した上で、２つの支持棒７１の支持部７１ａを仕切りたい場所に吊り下げる。これにより、天井部材５５を有する室内を、任意の位置及び大きさに仕切ることができる。
【００４９】
また、図８に示すボード部材８０を、天井部材５５に取り付けてもよい。図８（ａ）及び図８（ｂ）に示すように、ボード部材８０は、伸縮可能な２つの取付部８１を備えている。図８（ａ）は、取付部８１を伸長する前の状態、図８（ｂ）は、取付部８１を伸長した後の状態を示している。この取付部８１の上部には、天井部材５５に引掛け可能な支持部８１ａが形成されている。各取付部８１には、これら取付部８１間に架け渡された板部材８２の端辺が固定されている。この板部材８２は、例えば、コルクボードのような掲示板であってもよいし、ホワイトボードや黒板等の筆記具板であってもよい。このボード部材８０を用いる場合には、２つの取付部８１の支持部８１ａを、ボード部材８０を使用したい場所に吊り下げる。更に、取付部８１を伸縮させて、板部材８２の高さを調整する。これにより、任意の高さで、板部材８２を使用することができる。
【００５０】
・上記実施形態においては、直方体形状のユーティリティカラム２０を用いる。また、中空部の水平断面が四角形状のユーティリティカラム２０を用いる。ユーティリティカラム２０の筐体２１や中空部の形状は、これらに限定されない。例えば、水平断面が円形状や多角形状であってもよい。また、外形と中空部の形状とが異なる形状であってもよい。
【００５１】
・上記実施形態においては、ユーティリティカラム２０は、天井部材５５に引掛ける取付部材２１ａを備える。ユーティリティカラム２０の取付部材２１ａは、天井部材５５に引掛けるための部材に限定されず、天井部材５５に係合可能な部材であればよい。
【００５２】
・上記実施形態においては、ユーティリティカラム２０の筐体２１内には、排気管、ガス管、給水管、排水管を収納する。筐体２１内に収納される室内設備ラインは、これに限定されず、例えば、冷却水を通過する配管や電気配線等であってもよい。
【００５３】
・上記実施形態の設備ユニット１０は、作業台１１、流し台１５及びユーティリティカラム２０を並べて配置される。ユーティリティカラム２０に各作業設備（作業台１１及び流し台１５）が接続されていれば、配置や個数は限定されない。例えば、ユーティリティカラム２０に対して、作業台１１と流し台１５とが直交する方向に配置することも可能である。また、複数の作業台１１や流し台１５を、一つのユーティリティカラム２０に接続してもよい。また、作業設備は、作業台１１や流し台１５に限定されるものではなく、各種ユーティリティを利用する設備であればよい。
【符号の説明】
【００５４】
Ｉｈ…仮想天井高さ、１０…設備ユニット、１１…作業台、１２…収納棚、１３…局部排気装置、１３ａ…屈曲配管、１３ｂ…フード、１５…流し台、１６…蛇口、１７…シンク、１８…排水ユニット、２０…ユーティリティカラム、２１…筐体、２１ａ…取付部材、２２…ガラリ、５０…床スラブ、５１…天井インサート、５２，５３，５３ａ…胴縁、５４…天井下地バー、５５…天井部材、５６…吊金物、５７…揺れ止め具、６１…排気管、６２…ガス管、６３…給水管、６４…排水管、６６…排気ダクト、６７…蛍光灯、６８…ケーブルラック、７０…空間仕切り部材、７１…支持棒、７１ａ，８１ａ…支持部、７２…布材、８０…ボード部材、８１…取付部、８２…板部材。
【図１】
0006519171.tif 000002
【図２】
0006519171.tif 000003
【図３】
0006519171.tif 000004
【図４】
0006519171.tif 000005
【図５】
0006519171.tif 000006
【図６】
0006519171.tif 000007
【図７】
0006519171.tif 000008
【図８】
0006519171.tif 000009